(57)【特許請求の範囲】
【請求項１】
ディスプレイ部と、前記ディスプレイ部の縁部に形成されたべゼル部とを備えるディスプレイパネルと；
前記ディスプレイパネルの背面に備えられ、前記ディスプレイパネルに光を提供するバックライトユニットと；
前記ディスプレイパネルと前記バックライトユニットとを支持する支持部材と；
前記支持部材の一面と結合され、少なくとも１つの継ぎ目を有するトップフレームと
を備え、
前記トップフレームは、
前記支持部材と締結されるメイン部と、
前記べゼル部上に形成されて前記メイン部と結合される補助部と
を有し、
前記補助部は、透明な熱可塑性樹脂からなる
ことを特徴とするディスプレイ装置。
【請求項２】
前記メイン部は、その表面にパターンを有する金属材質からなる
ことを特徴とする請求項１に記載のディスプレイ装置。
【請求項３】
前記補助部は、前記熱可塑性樹脂の射出成形法によって前記メイン部と結合される
ことを特徴とする請求項２に記載のディスプレイ装置。
【請求項４】
前記支持部材は、
前記ディスプレイパネルと前記バックライトユニットを収容するボトムフレームと、
前記ディスプレイパネルと前記バックライトユニットの位置を固定するメインフレームとを備える
ことを特徴とする請求項１に記載のディスプレイ装置。
【請求項５】
前記ディスプレイパネルを埃から保護し、衝撃及び振動を吸収するために、前記バックライトユニットと前記ディスプレイパネルとの間に配置されるパッド部を更に備えることを特徴とする請求項１に記載のディスプレイ装置。
【請求項６】
前記トップフレームの前記メイン部は、互いに接続して前記ディスプレイパネルと前記支持部材とを囲む複数の金属板を備える
ことを特徴とする請求項１に記載のディスプレイ装置。
【請求項７】
前記複数の金属板は、前記複数の金属板の上面に配置される前記補助部によって互いに強固に結合される
ことを特徴とする請求項６に記載のディスプレイ装置。
【請求項８】
互いに結合される前記複数の金属板は、前記ディスプレイパネルと共に開口部を定義する
ことを特徴とする請求項６に記載のディスプレイ装置。
【請求項９】
前記補助部は、前記ディスプレイパネルの上面の縁部を覆う
ことを特徴とする請求項１に記載のディスプレイ装置。
【請求項１０】
前記補助部は、三角形の断面を有する
ことを特徴とする請求項１に記載のディスプレイ装置。
【請求項１１】
前記メイン部は、金属材質からなる
ことを特徴とする請求項１に記載のディスプレイ装置。
【発明の詳細な説明】
【技術分野】
【０００１】
本発明は、ディスプレイ装置に関するものであり、より具体的にはメイン部と補助部とに分かれるトップフレームを備えるディスプレイ装置に関するものである。
【背景技術】
【０００２】
ディスプレイ装置とは、外部からの映像信号によって映像を表示するあらゆる装置である。このようなディスプレイ装置は、コンピュータからの映像信号によって映像を表示するモニターと、放送局からの映像信号及び音声信号によって映像と音声を表示するテレビを含むと共に、外部からの映像情報を受信して映像を表示する全ての装置を含む。
【０００３】
従来のディスプレイ装置である陰極線管（ＣＲＴ）は、真空中で陰極から放射される電子を用いて可視像を作る方式であるが、それは印加電圧による液晶の透過度の変化を利用して様々な情報を視覚情報に変化させて伝達する液晶ディスプレイ（ＬＣＤ）、または、気体放電（プラズマ）現象を利用したプラズマディスプレイパネル（ＰＤＰ）などに発展した。その結果、ＬＣＤ方式またはＰＤＰ方式のディスプレイ装置は、従来のＣＲＴ方式のディスプレイ装置に比べ、その厚さを著しく減少することができた。即ち、重量と体積を減らすことで装置の大型化を可能にし、応答速度や画質などの品質面においても研究開発を進め、更なる発展を続けている。
【０００４】
また、技術面における研究開発と共に需要者に一層アピールできる製品を製作するため、特にデザイン面における研究開発が必要とされており、需要者の美的感覚を刺激し、購買に繋がるよう、デザインに対する要求が高まっている。
【０００５】
特に、スリム化及び軽量化のための研究開発と共に、パネルの輪郭線から実際に画面が表示される有効表示領域（ａｃｔｉｖｅ  ａｒｅａ）までの距離であるべゼルの幅を狭くし、デザインの品質を改善するための開発が進められている。
【０００６】
しかし、ディスプレイ装置のパネルを強固に支持しながらべゼル幅を一定値以下にするには限界があった。
【０００７】
一方、図１は、従来のディスプレイ装置を示す分解斜視図である。
【０００８】
図１に示すように、ディスプレイ装置１は、バックライトユニット３０と液晶表示パネル２２とに分かれる。前記バックライトユニット３０と前記液晶表示パネル２２は、メインフレーム４１、トップフレーム１０、そしてボトムフレーム４２などにより支持される。
【０００９】
前記トップフレーム１０は単一部品からなり、前記ディスプレイ装置の上面及び側面の縁を覆うように断面がＬ字状（または逆Ｌ字状）に形成された１つのフレームである。また、前記トップフレーム１０の前面には、液晶表示パネル２２に具現された画像が表示される長方形の開口面が形成されている。前記トップフレーム１０の下部はメインフレーム４１、またはボトムフレーム４２と締結固定される。
【００１０】
しかし、前記トップフレーム１０に開口面を形成するためには、相対的に広い面積の金属板を切断しなければならないため、無駄な材料費がかかる。また、前記トップフレーム１０が比較的に狭い幅で形成され、ディスプレイ装置１を十分に補強できないという問題があった。
【００１１】
前記のような問題を解決するため、韓国登録特許１０−１０４８６９５号公報においては、側面縁に分離して装着する２つ以上の分離型トップフレームを用いてトップフレームの開口面を形成し、ボトムフレームのフックと締結して１つのトップフレームを形成する方法を導入している。
【００１２】
しかし、前記のような方法の場合、それぞれの分離型トップフレームを締結するためには、トップフレーム及びボトムフレームの側面に継ぎ目を別に設けなければならない。また、従来のトップフレームのように構造物の強度を補強するためには、ディスプレイパネルのべゼル部までトップフレームを形成しなければならないという短所があった。
【発明の概要】
【発明が解決しようとする課題】
【００１３】
本発明は前記問題を解決するためのものであって、ディスプレイパネルを安定して支持しながらも、べゼル部がないことに等しい効果を持つディスプレイ装置を提供することを、その技術的課題とする。
【００１４】
また、本発明は分離型トップフレームの継ぎ目を強固に締結することができ、ディスプレイパネルを高い強度で保護できるディスプレイ装置を提供することを、その技術的課題とする。
【課題を解決するための手段】
【００１５】
前記目的を達成するために本発明に係るディスプレイ装置は、画像を表示するディスプレイ部と、前記ディスプレイ部の縁部に形成されたべゼル部とを備えるディスプレイパネルと；前記ディスプレイパネルの背面に備えられ、前記ディスプレイパネルに光を提供するバックライトユニットと；前記ディスプレイパネルと前記バックライトユニットとを支持する支持部材と；前記支持部材の一面と結合され、少なくとも１つの継ぎ目を設けたトップフレームとを備え、前記トップフレームは前記支持部材と締結されるメイン部と、前記べゼル部上に形成されて前記メイン部と結合される補助部とを有し、前記補助部は、透明な熱可塑性樹脂からなる。
【発明の効果】
【００１６】
本発明によると、ディスプレイパネルの上面縁を覆う補助部を透明な熱可塑性樹脂にしたトップフレームを導入することで、ディスプレイパネルを一層安定して支持しながらも、べゼル部がないことに等しい効果を持ち、利用者により高い没入感を与えることができる。
【００１７】
更に、別途の切断工程が不要な分離型トップフレームを用いながら前記分離型トップフレームの継ぎ目を強固に結合し、パネルを高い強度で保護することができ、前記継ぎ目に流入される異物を防止することができる。
【図面の簡単な説明】
【００１８】
【図１】従来のディスプレイ装置を示す分解斜視図である。
【図２】本発明の一実施例に係るトップフレームを示す平面図である。
【図３】図２のトップフレームを概略的に示す側面図である。
【図４】メイン部の表面処理前の顕微鏡写真である。
【図５】メイン部の表面処理後の顕微鏡写真である。
【図６】本発明の一実施例に係るトップフレームが締結されたディスプレイ装置を示す断面図である。
【発明を実施するための形態】
【００１９】
本発明の実施例に関し、下記の添付図面を参照して詳細に説明する。本明細書において同一の参照番号は実際に同一の構成要素を示す。以下の説明において、本発明に関連する公知内容または構成に関する具体的説明が本発明の要旨を不明瞭にすると判断される場合、その詳細な説明を省略する。
【００２０】
以下、図２ないし図６を参照して本発明の一実施例に係るディスプレイ装置を詳しく説明する。
【００２１】
図２は、本発明の一実施例に係るトップフレームを示す平面図である。
【００２２】
図２に示すように、本発明の一実施例に係るトップフレーム１００は、ディスプレイ装置の上面縁に沿って分離したそれぞれの金属板が互いに締結され、１つのトップフレーム１００が構成される。それにより、前記トップフレーム１００の前面に形成された開口部１０１ｂを介してディスプレイパネルの画像が表示される。
【００２３】
トップフレーム１００は、分離した金属板によって少なくとも１つの継ぎ目１０１ａを有することになるが、前記金属板の上面に熱可塑性樹脂を射出成形し、継ぎ目１０１ａを強固に結合して１つのトップフレーム１００が構成される。
【００２４】
従って、従来の一体型トップフレームを製造するときに切断されて捨てられる金属板の量を減らすことができるので、工程費用の節減をもたらすという効果がある。また、分離型トップフレームを用いるときに金属板と金属板との間の継ぎ目１０１ａに流入され得る異物を防止できる効果がある。
【００２５】
図３は、図２のトップフレームを概略的に示す側面図である。
【００２６】
また、図４は、メイン部の表面処理前の顕微鏡写真であり、図５は、メイン部の表面処理後の顕微鏡写真である。
【００２７】
図３に示すように、本発明の一実施例に係るトップフレーム１００は、ディスプレイ装置の上面及び側面の縁を覆うように折曲して構成されている。
【００２８】
ディスプレイ装置の上面の縁を覆う補助部１０１は単色の熱可塑性樹脂からなり、側面の縁を覆うメイン部１０２はその表面が凹凸した金属材質からなるが、後述する図５及び図６のように補助部１０１との界面が平坦な表面ではなく、パターニングされたデザインが形成された表面であることが望ましい。
【００２９】
具体的には、前記補助部１０１と前記メイン部１０２が次のような工程に沿って結合する。
【００３０】
まず、本発明の一実施例に係るメイン部１０２に表面処理工程を行うと、金属表面に超微細な凹凸デザインが形成される（図５）。
【００３１】
即ち、メイン部１０２に、アルカリ前処理、酸前処理、Ｔ処理、洗浄及び乾燥の表面処理工程を行って、凹凸を形成することができる。
【００３２】
アルカリ前処理工程は、水酸化ナトリウム、水酸化カリウムなどの水酸化アルカリ金属類の水酸化物、またはそれらが含まれた無水炭酸ナトリウム、アンモニアなどの０．１〜１０％の塩基性水溶液を用いて行うことができる。また、酸前処理工程は、酢酸、フッ化水素酸などの０〜１％の酸性水溶液を用いて行うことができる。
【００３３】
前記アルカリ及び酸前処理工程以外にも、亜硫酸アルカリ金属、亜硫酸水素アルカリ金属、ヒドラジン（Ｎ2Ｈ4）、水素化ボウ素ナトリウム（ＮａＢＨ4）、水素化アルミニウムリチウム（ＬｉＡｌＨ4）などの水溶性還元剤の水溶液を１〜５％にして数分間、前処理を行うことができる。
【００３４】
Ｔ処理工程は、アンモニア（ＮＨ3）、ヒドラジン（Ｎ2Ｈ4）、ピリジン（Ｃ5Ｈ5Ｎ）、ヒドラジン誘導体及び水溶性のアミン系化合物のうち、一種以上の水溶液を２〜３０％にして数分間、ガス吸着、または水溶液に沈殿させたり噴霧処理したりなどの方法で行うことができる。
【００３５】
本発明では前記表面処理工程を例として挙げているが、本発明の思想はこれに限らず、本発明に様々な技術を適用して金属表面に凹凸パターンまたはデザインを形成することができる。
【００３６】
続いて、少なくとも一つの色を有する熱可塑性樹脂造成物を射出成形し、金属物質と結合させると、金属材質のパターンは熱可塑性樹脂造成物の表面に転写され、熱可塑性樹脂層はデザインを有することになる。即ち、補助部１０１を介してメイン部１０２のパターンを見えるようにすることで、ディスプレイパネルのベゼル部２００ｂは向上した外観上の美感または審美感を持つ。
【００３７】
熱可塑性樹脂として、ポリメチルメタクリレート（ＰＭＭＡ）、ポリスチレン（ＰＳ）、ポリエステル（ＰＥ）、アクリロニトリル‐ブタジエン‐スチレン共重合体樹脂（ＡＢＳ）、ポリフェニレンスルファイド（ＰＰＳ）、ポリエチレンテレフタレート（ＰＥＴ）、ポリブチレンテレフタレート（ＰＢＴ）などの透明性に優れた樹脂を用いることができ、機械的強度、耐熱性、密着性、電気的性質などを考慮して補助添加剤を加えることができる。
【００３８】
例えば、ガラス繊維、カーボン繊維、金属繊維などの無機質繊維充填剤や、フッ素樹脂、アクリル樹脂などの有機質繊維充填剤などを補助添加剤として加えることができ、その他、難燃剤、着色剤、酸化防止剤、異形剤、潤滑剤、結晶促進剤など、必要に応じて適切な補助添加剤を加えることができる。
【００３９】
以上で説明したように、本発明では全て４つの直線型金属板を用いて１つのトップフレーム１００を構成するようにしているが、本発明の思想はこれに限らない。即ち、少なくとも１つ以上の継ぎ目を有する金属板など、様々な構造のトップフレームを適用することができる。
【００４０】
図６は、本発明の一実施例に係るトップフレームが締結されたディスプレイ装置を示す断面図である。
【００４１】
図６に示すように、本発明の一実施例に係るディスプレイ装置は、画像が表示されるディスプレイ部２００ａと、前記ディスプレイ部２００ａの縁部に形成されたべゼル部２００ｂとを備えるディスプレイパネル２００と、前記ディスプレイパネル２００の背面に備えられ、前記ディスプレイパネルに光を提供するバックライトユニット３００と、前記ディスプレイパネル２００と前記バックライトユニット３００とを支持する支持部材と、前記支持部材の一面と結合され、少なくとも１つの継ぎ目を有するトップフレーム１００とを備え、前記トップフレーム１００は、前記支持部材と締結されるメイン部１０２と、前記べゼル部２００ｂ上に形成されて前記メイン部１０２と結合される補助部１０１とを備える。
【００４２】
本発明の一実施例に係るディスプレイ装置は、ディスプレイパネル２００の上面を基準にしてディスプレイ部２００ａと、前記ディスプレイ部２００ａの縁部に形成されたべゼル部２００ｂとに分かれる。
【００４３】
前記ディスプレイパネル２００は、その上部・下部に偏光板が設けられるが、下部に設けられる下部偏光板２０３は、バックライトユニット３００からの光ビームを偏光してパネル部２０２に供給し、上部に設けられる上部偏光板２０１は、パネル部２０２からの光ビームを偏光して外部に放射する。
【００４４】
一方、本発明の一実施例に係るディスプレイ装置には、メインフレーム４０１とボトムフレーム４０２の支持部材が備えられる。
【００４５】
詳しく説明すると、前記ディスプレイパネル２００及び前記バックライトユニット３００の一側面を覆いながら支持するメインフレーム４０１と、前記メインフレーム４０１の一側底面、または側面を覆うボトムフレーム４０２とを備えることができる。それによって前記ディスプレイパネル２００の縁に形成されたトップフレーム１００が、前記メインフレーム４０１とボトムフレーム４０２とを覆うように形成されることができる。
【００４６】
前記メインフレーム４０１はモールド物に造られ、その内部の側面壁は階段状段差面に形成されることができる。また、前記メインフレーム４０１の内部の最低部にバックライトユニット３００が備えられ、前記バックライトユニット３００の上にディスプレイパネル２００が積層されることができる。
【００４７】
一方、本発明の一実施例に係るディスプレイ装置には、補助部１０１とメイン部１０２とに分かれるトップフレーム１００が備えられる。
【００４８】
前記トップフレーム１００は、メインフレーム４０１とディスプレイパネル２００とを固定し支持するため、メインフレーム４０１の上部及び側面部を覆うように形成されることができる。
【００４９】
前記メイン部１０２はディスプレイ装置の側面部を覆うように設計し、一直線形、またはＬ字状（または逆Ｌ字状）をなすようにする。
【００５０】
前記補助部１０１は、ディスプレイ装置の上部縁を覆うように前記ディスプレイパネルのべゼル部２００ｂの上に形成され、前記メイン部１０２の一側面と結合されるように設計される。
【００５１】
そのとき、ディスプレイ装置の使用者により高い没入感を与えるように、ディスプレイパネル２００の中心から離れるほど厚さが増加するよう、即ち、側面が三角形、または折り曲げ形状になるように設計される。
【００５２】
前述したように、補助部１０１とメイン部１０２との間の界面はパターニングされた形状を持つため、補助部１０１とメイン部１０２との間における結合力が改善される。そして、その結果、少なくとも一つの継ぎ目を有するトップフレーム１００の保護強度が向上する。
【００５３】
そして、パターニングされた形状は一つの段差を有することを例として挙げているが、複数の段差を有する他の形を用いることもできる。
【００５４】
また、前記補助部１０１は透明性に優れた熱可塑性樹脂を用いることで、べゼル部２００ｂ領域を介しても光が放射でき、べゼル部がないことに等しい効果を持つことができる。
【００５５】
一方、前記バックライトユニット３００は、光源が実装されたランプハウジング（図示せず）と、前記光源からの光を面光源に変換するための導光板３０２と、前記導光板３０２の上に取り付けられ、ディスプレイパネル２００の方に入射する光の効率を高めるための光学シート３０１と、前記導光板３０２の背面に取り付けられ、導光板３０２の後面に放射する光をディスプレイパネル２００の方に反射するための反射板３０３とを備える。
【００５６】
前記導光板３０２は、光源からの光を装置の全領域に均一に分布させる。即ち、前記導光板３０２が光源からの光を均一に分布させることで、ディスプレイパネル２００に光が均一に入射するようにする。
【００５７】
前記反射板３０３は、導光板３０２の下部に入射する光を反射する。即ち、前記反射板３０３は導光板３０２からの光を反射し、反射板自体に入射する光がディスプレイパネル２００に供給されるようにする。
【００５８】
前記光学シート３０１は上部・下部拡散シート及び上部・下部プリズムシートを含む。かかる光学シート３０１は導光板３０２からの光を散乱し、光が導光板の表面全体にわたって均一に分布されるようにする。また、前記光学シート３０１は散乱された光を屈折、集光して表面輝度を上昇させると共に、光を拡散して視野角を広げる。
【００５９】
一方、本発明の一実施例に係るディスプレイ装置ではパッド部４０３を支持部材の側面に設ける。本発明では前記パッド部４０３をメインフレーム４０１の一側面に設けるように例を挙げているが、トップフレームの一側面、またはボトムフレームの一側面にも設けることができる。
【００６０】
前記パッド部４０３は、外部からの圧力や衝撃を緩和することができるシリコン材質のスポンジ形状の衝撃吸収パッドであるか、または外部からの振動による影響を防止することができる防振パッドであり得る。また、前記パッド部４０３はディスプレイ装置を埃から保護することもできる。
【００６１】
なお、本発明の精神や必須の特徴を変更しない範囲内で様々な変更が可能であることは、本発明の属する技術分野の当業者にとって自明である。
【００６２】
従って、本発明の範囲は、詳細な説明より後述する特許請求の範囲及びそれらの均等物の範囲内で変更または変形された内容を基準とする。
【符号の説明】
【００６３】
１００  トップフレーム、１０１  補助部、１０２  メイン部、２００  ディスプレイパネル、２０１  上部偏光板、２０２  パネル部、２０３  下部偏光板、３００  バックライトユニット、３０１  光学シート、３０２  導光板、３０３  反射板、４０１  メインフレーム、４０２  ボトムフレーム、４０３  パッド部。
【図１】
0005559856.tif 000002
【図２】
0005559856.tif 000003
【図３】
0005559856.tif 000004
【図４】
0005559856.tif 000005
【図５】
0005559856.tif 000006
【図６】
0005559856.tif 000007